(57)【要約】      （修正有）【課題】高品質な画像表示を実現することが可能となる画像表示装置を提供すること。【解決手段】画像表示装置は、画像生成部と、投射光学系とを具備する。前記画像生成部は、第１の画素領域と第２の画素領域とを有し、前記第１の画素領域により生成される第１の画素光１７と、前記第２の画素領域により生成される第２の画素光２７とを含む画像光を生成する。前記投射光学系は、前記第１の画素光１７により構成される第１の部分画像の画像状態が、前記第２の画素光２７により構成される第２の部分画像の画像状態と異なるように、前記画像光を投射する。【選択図】図６
2020098273.tif 000002
【特許請求の範囲】
【請求項１】
第１の画素領域と第２の画素領域とを有し、前記第１の画素領域により生成される第１の画素光と、前記第２の画素領域により生成される第２の画素光とを含む画像光を生成する画像生成部と、
前記第１の画素光により構成される第１の部分画像の画像状態が、前記第２の画素光により構成される第２の部分画像の画像状態と異なるように、前記画像光を投射する投射光学系と
を具備する画像表示装置。
【請求項２】
請求項１に記載の画像表示装置であって、
前記第１の画素領域は、前記画像生成部の中央に位置する中央領域であり、
前記第２の画素領域は、前記中央領域の周辺を囲む周辺領域である
画像表示装置。
【請求項３】
請求項１に記載の画像表示装置であって、
前記画像状態は、画像の解像度を含み、
前記投射光学系は、前記第１の部分画像の解像度が、前記第２の部分画像の解像度と異なるように、前記画像光を投射する
画像表示装置。
【請求項４】
請求項１に記載の画像表示装置であって、
前記投射光学系は、前記第２の部分画像の解像度が、前記第１の部分画像の解像度よりも低くなるように、前記画像光を投射する
画像表示装置。
【請求項５】
請求項１に記載の画像表示装置であって、
前記第１の画素領域の画素ピッチは、前記第２の画素領域の画素ピッチと異なる
画像表示装置。
【請求項６】
請求項１に記載の画像表示装置であって、
前記第２の画素領域の画素ピッチは、前記第１の画素領域の画素ピッチよりも大きい
画像表示装置。
【請求項７】
請求項１に記載の画像表示装置であって、
前記第１の画素領域の画素ピッチは、前記第２の画素領域の画素ピッチと等しい
画像表示装置。
【請求項８】
請求項１に記載の画像表示装置であって、
前記投射光学系は、前記第１の画素光を投射する第１の投射部と、前記第２の画素光を投射する第２の投射部とを有する
画像表示装置。
【請求項９】
請求項８に記載の画像表示装置であって、
前記第１の投射部は、所定の拡大率で、前記第１の画素光を投射し、
前記第２の投射部は、前記第１の投射部よりも大きい拡大率で、前記第２の画素光を投射する
画像表示装置。
【請求項１０】
請求項８に記載の画像表示装置であって、
前記第１の投射部は、所定の拡大率で、前記第１の画素光を投射し、
前記第２の投射部は、前記第１の投射部と等しい拡大率で、前記第２の画素光を投射する
画像表示装置。
【請求項１１】
請求項１に記載の画像表示装置であって、
前記投射光学系は、所定の方向に沿って入射する前記画像光を、所定の光軸方向に沿って投射する投射レンズ部を有する
画像表示装置。
【請求項１２】
請求項１１に記載の画像表示装置であって、
前記投射光学系は、前記第２の画素光の少なくとも一部を拡大させて前記所定の方向に沿って前記投射レンズ部に入射させる拡大レンズ部を有する
画像表示装置。
【請求項１３】
請求項１２に記載の画像表示装置であって、
前記第１の画素領域は、前記画像生成部の中央に位置する中央領域であり、
前記第２の画素領域は、前記中央領域の周辺を囲む周辺領域であり、
前記拡大レンズ部は、前記第２の画素光のうち前記第２の画素領域の前記中央領域とは反対側に位置する外側領域により生成される画素光を拡大させて前記所定の方向に沿って前記投射レンズ部に入射させる
画像表示装置。
【請求項１４】
請求項１１に記載の画像表示装置であって、
前記投射光学系は、前記第２の画像光の少なくとも一部を前記所定の方向に交差する方向に沿って前記投射レンズ部に入射させる拡大レンズ部を有する
画像表示装置。
【請求項１５】
請求項１４に記載の画像表示装置であって、
前記第１の画素領域は、前記画像生成部の中央に位置する中央領域であり、
前記第２の画素領域は、前記中央領域の周辺を囲む周辺領域であり、
前記拡大レンズ部は、前記第２の画素光のうち前記第２の画素領域の前記中央領域とは反対側に位置する外側領域により生成される画素光を前記所定の方向に交差する方向に沿って前記投射レンズ部に入射させる
画像表示装置。
【請求項１６】
請求項１２に記載の画像表示装置であって、
前記拡大レンズ部は、前記第２の画素領域に含まれる複数の画素の各々に配置される複数のマイクロレンズを有する
画像表示装置。
【請求項１７】
請求項１６に記載の画像表示装置であって、
前記複数のマイクロレンズの各々は、配置される画素の位置に応じた曲率を有する
画像表示装置。
【請求項１８】
請求項１に記載の画像表示装置であって、
前記画像生成部は、前記第１の画素領域と前記第２の画素領域との間に、画素光が生成されない非生成領域を有する
画像表示装置。
【発明の詳細な説明】
【技術分野】
【０００１】
本技術は、プロジェクタ等の画像表示装置に関する。
【背景技術】
【０００２】
特許文献１に記載の表示装置では、表示パネルが、中央表示領域と周辺表示領域と額縁領域とに分けられる。表示パネルの周辺表示領域に透光性カバーのレンズ部が重なるように、表示パネルに対して透光性カバーが配置される。周辺表示領域により生成される画像が、透光性カバーのレンズ部により拡大されることで、額縁領域上に虚像が投射される。これにより、表示される画像があたかも額縁上にあるように見せることができ、額縁領域を見え難くすることが図られている。（特許文献１の明細書段落［００１２］［００１６］図１、２等）。
【先行技術文献】
【特許文献】
【０００３】
【特許文献１】特開２０１５−１７２６６１号公報
【発明の概要】
【発明が解決しようとする課題】
【０００４】
プロジェクタ等の画像表示装置に関して、高品質な画像表示を実現することが可能となる技術が求められている。
【０００５】
以上のような事情に鑑み、本技術の目的は、高品質な画像表示を実現することが可能となる画像表示装置を提供することにある。
【課題を解決するための手段】
【０００６】
上記目的を達成するため、本技術の一形態に係る画像表示装置は、画像生成部と、投射光学系とを具備する。
前記画像生成部は、第１の画素領域と第２の画素領域とを有し、前記第１の画素領域により生成される第１の画素光と、前記第２の画素領域により生成される第２の画素光とを含む画像光を生成する。
前記投射光学系は、前記第１の画素光により構成される第１の部分画像の画像状態が、前記第２の画素光により構成される第２の部分画像の画像状態と異なるように、前記画像光を投射する。
【０００７】
この画像表示装置では、第１の画素領域により生成される第１の画素光と、第２の画素領域により生成される第２の画素光とを含む画像光が生成される。そして第１の画素光により構成される第１の部分画像の画像状態と、第２の画素光により構成される第２の部分画像の画像状態とが、互いに異なるように、画像光が投射される。これにより、高品質な画像表示を実現することが可能となる。
【０００８】
前記第１の画素領域は、前記画像生成部の中央に位置する中央領域であってもよい。この場合、前記第２の画素領域は、前記中央領域の周辺を囲む周辺領域であってもよい。
【０００９】
前記画像状態は、画像の解像度を含んでもよい。この場合、前記投射光学系は、前記第１の部分画像の解像度が、前記第２の部分画像の解像度と異なるように、前記画像光を投射してもよい。
【００１０】
前記投射光学系は、前記第２の部分画像の解像度が、前記第１の部分画像の解像度よりも低くなるように、前記画像光を投射してもよい。
【００１１】
前記第１の画素領域の画素ピッチは、前記第２の画素領域の画素ピッチと異なってもよい。
【００１２】
前記第２の画素領域の画素ピッチは、前記第１の画素領域の画素ピッチよりも大きくてもよい。
【００１３】
前記第１の画素領域の画素ピッチは、前記第２の画素領域の画素ピッチと等しくてもよい。
【００１４】
前記投射光学系は、前記第１の画素光を投射する第１の投射部と、前記第２の画素光を投射する第２の投射部とを有してもよい。
【００１５】
前記第１の投射部は、所定の拡大率で、前記第１の画素光を投射してもよい。この場合、前記第２の投射部は、前記第１の投射部よりも大きい拡大率で、前記第２の画素光を投射してもよい。
【００１６】
前記第１の投射部は、所定の拡大率で、前記第１の画素光を投射してもよい。この場合、前記第２の投射部は、前記第１の投射部と等しい拡大率で、前記第２の画素光を投射してもよい。
【００１７】
前記投射光学系は、所定の方向に沿って入射する前記画像光を、所定の光軸方向に沿って投射する投射レンズ部を有してもよい。
【００１８】
前記投射光学系は、前記第２の画素光の少なくとも一部を拡大させて前記所定の方向に沿って前記投射レンズ部に入射させる拡大レンズ部を有してもよい。
【００１９】
前記第１の画素領域は、前記画像生成部の中央に位置する中央領域であってもよい。この場合、前記第２の画素領域は、前記中央領域の周辺を囲む周辺領域であってもよい。この場合、前記拡大レンズ部は、前記第２の画素光のうち前記第２の画素領域の前記中央領域とは反対側に位置する外側領域により生成される画素光を拡大させて前記所定の方向に沿って前記投射レンズ部に入射させてもよい。
【００２０】
前記投射光学系は、前記第２の画像光の少なくとも一部を前記所定の方向に交差する方向に沿って前記投射レンズ部に入射させる拡大レンズを有してもよい。
【００２１】
前記第１の画素領域は、前記画像生成部の中央に位置する中央領域であってもよい。この場合、前記第２の画素領域は、前記中央領域の周辺を囲む周辺領域であってもよい。この場合、前記拡大レンズ部は、前記第２の画素光のうち前記第２の画素領域の前記中央領域とは反対側に位置する外側領域により生成される画素光を前記所定の方向に交差する方向に沿って前記投射レンズ部に入射させてもよい。
【００２２】
前記拡大レンズ部は、前記第２の画素領域に含まれる複数の画素の各々に配置される複数のマイクロレンズを有してもよい。
【００２３】
前記複数のマイクロレンズの各々は、配置される画素の位置に応じた曲率を有してもよい。
【００２４】
前記画像生成部は、前記第１の画素領域と前記第２の画素領域との間に、画素光が生成されない非生成領域を有してもよい。
【図面の簡単な説明】
【００２５】
【図１】第１の実施形態に係る画像表示装置の構成例を示す概略図である。
【図２】画像表示装置により投射される投射画像の一例を示す模式図である。
【図３】ＬＣＤの画素構成の一例を模式的に示す図である。
【図４】投射画像を表示するための画素の回路の一例を示す模式図である。
【図５】ＬＣＤにより生成された画像光の投射を説明するための模式図である。
【図６】有効画像及び拡張画像の投射方法の他の一例を示す模式図である。
【図７】有効画像及び拡張画像の投射方法の他の一例を示す模式図である。
【図８】有効画像及び拡張画像の投射方法の他の一例を示す模式図である。
【図９】有効画像及び拡張画像の投射方法の他の一例を示す模式図である。
【図１０】第２の実施形態に係るＬＣＤの画素領域の回路構成の一例を示す模式図である。
【図１１】第３の実施形態に係るＬＣＤの画素領域の回路構成の一例を示す模式図である。
【図１２】ＬＣＤの画素構成の他の例を示す模式図である。
【図１３】ＬＣＤの画素構成の他の例を示す模式図である。
【図１４】ＬＣＤの画素構成の他の例を示す模式図である。
【図１５】ＬＣＤの画素構成の他の例を示す模式図である。
【図１６】反射型の表示パネルを用いた３板方式の画像表示装置の模式図である。
【図１７】自発光型の表示パネルを用いた３板方式の画像表示装置の模式図である。
【図１８】透過型の表示パネルを用いた１板方式の画像表示装置の模式図である。
【図１９】カラーフィルターを内蔵した透過型の表示パネルを用いた１板方式の画像表示装置の模式図である。
【図２０】自発光型の表示パネルを用いた１板方式の画像表示装置の模式図である。
【図２１】投射画像を表示するための画素がＲＧＢ３画素の場合の回路の一例を示す模式図である。
【図２２】投射画像のブレンディングを示す模式図である。
【発明を実施するための形態】
【００２６】
以下、本技術に係る実施形態を、図面を参照しながら説明する。
【００２７】
＜第１の実施形態＞
［画像表示装置］
図１は、本技術の第１の実施形態に係る画像表示装置の構成例を示す概略図である。画像表示装置５００は、例えばプレゼンテーション用、もしくはデジタルシネマ用のプロジェクタとして用いられる。その他の用途に用いられる画像表示装置にも、以下に説明する本技術は適用可能である。
【００２８】
また本実施形態では、透過型の表示パネルを用いた３板方式の画像表示装置５００が用いられる。後にも説明するが、他の種々の方式の画像表示装置に対して、本技術は適用可能である。
【００２９】
図１に示すように、画像表示装置５００は、光源装置１００と、画像生成システム２００と、投射システム４００とを有する。
【００３０】
光源装置１００は、白色光Ｗ１を画像生成システム２００に出射する。光源装置１００には、ＬＥＤ（Light Emitting Diode）やＬＤ（Laser Diode）等の固体光源、又は水銀ランプやキセノンランプ等が配置される。
【００３１】
例えばＲＧＢの各色の光をそれぞれ出射可能なＲＧＢ用の固体光源が用いられ、これらの出射光が合成されて白色光Ｗ１が生成されてもよい。または青色の波長帯域の光を出射する固体光源と、青色光により励起されて黄色の蛍光を発する蛍光体とが配置されてもよい。この場合、青色光と黄色光とが合成されて白色光Ｗ１が出射される。その他、白色光Ｗ１を生成して出射するための任意の方法や任意の構成が採用されてよい。
【００３２】
画像生成システム２００は、インテグレータ光学系２１０と、照明光学系２２０とを有する。インテグレータ光学系２１０は、インテグレータ素子２１１と、偏光変換素子２１２と、集光レンズ２１３とを有する。
【００３３】
インテグレータ素子２１１は、二次元に配列された複数のマイクロレンズを有する第１のフライアイレンズ２１１ａと、その複数のマイクロレンズに一つずつ対応するように配列された複数のマイクロレンズを有する第２のフライアイレンズ２１１ｂとを有する。
【００３４】
インテグレータ素子２１１に入射した白色光Ｗ１は、第１のフライアイレンズ２１１ａのマイクロレンズによって複数の光束に分割され、第２のフライアイレンズ２１１ｂに設けられた対応するマイクロレンズにそれぞれ結像される。第２のフライアイレンズ２１１ｂのマイクロレンズのそれぞれが二次光源として機能し、輝度が揃った複数の平行光を、後段の偏光変換素子２１２に出射する。
【００３５】
偏光変換素子２１２は、インテグレータ素子２１１を介して入射する入射光の偏光状態を揃える機能を有する。偏光変換素子２１２を通った光は、集光レンズ２１３を介して照明光学系２２０に出射される。
【００３６】
インテグレータ光学系２１０は、全体として、照明光学系２２０へ向かう白色光Ｗ１を均一な輝度分布に整え、偏光状態の揃った光に調整する機能を有する。インテグレータ光学系２１０の具体的な構成は限定されない。
【００３７】
照明光学系２２０は、ダイクロイックミラー２３０及び２４０、ミラー２５０、２６０及び２７０、フィールドレンズ２８０Ｒ、２８０Ｇ及び２８０Ｂ、リレーレンズ２９０及び３００、画像生成素子としてのＬＣＤ（Liquid crystal display）３１０Ｒ、３１０Ｇ及び３１０Ｂ、ダイクロイックプリズム３２０を含んでいる。ＬＣＤ３１０Ｒ、３１０Ｇ及び３１０Ｂは、透過型の表示パネルとして機能する。
【００３８】
ダイクロイックミラー２３０及び２４０は、所定の波長域の色光を選択的に反射し、それ以外の波長域の光を透過させる性質を有する。ダイクロイックミラー２３０は、白色光Ｗ１に含まれる緑色光Ｇ１及び青色光Ｂ１を選択的に反射し、白色光Ｗ１に含まれる赤色光Ｒ１を透過させる。ダイクロイックミラー２４０は、ダイクロイックミラー２３０により反射された緑色光Ｇ１を選択的に反射し、青色光Ｂ１を透過させる。これにより異なる色光は、それぞれ異なる光路に分離される。なおＲＧＢの各色光を分離するための構成や、用いられるデバイス等は限定されない。
【００３９】
分離された赤色光Ｒ１は、ミラー２５０により反射され、フィールドレンズ２８０Ｒにより平行化された後、赤色光の変調用のＬＣＤ３１０Ｒに入射する。緑色光Ｇ１は、フィールドレンズ２８０Ｇにより平行化された後、緑色光の変調用のＬＣＤ３１０Ｇに入射する。青色光Ｂ１はリレーレンズ２９０を通ってミラー２６０によって反射され、さらにレンズ３００を通ってミラー２７０によって反射される。ミラー２７０により反射された青色光Ｂ１は、フィールドレンズ２８０Ｂにより平行化された後、青色光の変調用のＬＣＤ３１０Ｂに入射する。
【００４０】
ＬＣＤ３１０Ｒ、３１０Ｇ及び３１０Ｂは、画像情報を含んだ画像信号を供給する図示しない信号源（例えばＰＣ等）と電気的に接続されている。ＬＣＤ３１０Ｒ、３１０Ｇ及び３１０Ｂは、供給される各色の画像信号に基づき、入射光を画素毎に変調し、それぞれ赤色の画像光Ｒ２、緑色の画像光Ｇ２及び青色の画像光Ｂ２を生成する。なお、画像光は、画像を構成する光に相当する。
【００４１】
生成されたＲＧＢの各色の画像光Ｒ２、Ｇ２及びＢ２は、ダイクロイックプリズム３２０に入射して合成される。ダイクロイックプリズム３２０は、３つの方向から入射した各色の画像光Ｒ２、Ｇ２及びＢ２を同軸上に重ね合わせて合成し、画像光Ｗ２を生成する。生成された画像光Ｗ２は、所定の方向に沿って、投射システム４００に向けて出射される。
【００４２】
投射システム４００は、画像生成システム２００により生成された画像光Ｗ２を投射する。投射システム４００は、複数のレンズ４１０等を有し、ダイクロイックプリズム３２０により合成されて出射された画像光Ｗ２を図示しないスクリーン等の被投射物に投射する。これにより被投射物上にフルカラーの画像が表示される。投射システム４００の具体的な構成は限定されない。
【００４３】
［投射画像］
図２は、画像表示装置５００により投射される投射画像の一例を示す模式図である。画像表示装置５００から出射された画像光Ｗ２がスクリーン等の被投射物に投射されると、投射画像３０が表示される。投射画像３０は、画像光Ｗ２により構成される画像に相当する。
【００４４】
なお被投射物としては、スクリーン、壁、車体等、任意の物体が用いられてよい。画像光Ｗ２が投射される投射面、すなわち投射画像３０が表示される表示面の形状も限定されない。例えば平面形状のスクリーンや、湾曲したスクリーン等が用いられてよい。例えば画像を視聴するユーザを囲むように湾曲したスクリーンが用いられることで、画像への没入感を向上させることが可能となり、高品質の視聴体験を提供することが可能となる。
【００４５】
図２に示すように本実施形態では、投射画像３０として、有効画像１０と拡張画像２０とを含む画像が表示される。図２に示す例では、投射画像３０として、山、海及び民家等の風景を示す画像が表示される。もちろん、投射画像３０の具体的な内容（コンテンツ）は限定されず、様々な画像が表示されてよい。
【００４６】
なお本開示において、画像は、静止画像及び動画像の両方を含む。動画像を構成する複数のフレーム画像を、複数の静止画像とみなすことも可能である。例えば、写真等の任意の静止画像、映画やゲーム映像等の任意の動画像に対して、本技術は適用可能である。
【００４７】
有効画像１０は、投射画像３０の中央領域１１に表示される。これにより、例えば投射画像３０に対して正面を向くユーザの中心視野（ユーザが焦点を合わせている領域）と、安定注視野（安定した状態で情報を注視できる領域）とをカバーするように、有効画像１０を表示することが可能となる。
【００４８】
拡張画像２０は、投射画像３０の中央領域１１の周辺を囲む周辺領域２１に表示される。すなわち拡張画像２０は、有効画像１０の周辺を囲むように表示される。これにより、例えば投射画像３０に対して正面を向くユーザの周辺視野（第１印象や全体観をつかむ領域）に、拡張画像２０を表示することが可能となる。このように有効画像１０に加えて、有効画像１０の周辺に拡張画像２０が表示される。これによりユーザは、画像に包まれるような臨場感のある視聴体験を得ることが可能となる。この結果、高品質な画像表示が実現される。
【００４９】
例えば、有効画像１０として、アスペクト比が１６：９であり、横１９２０画素×縦１０８０画素のフルＨＤ相当の画像が表示される。その周辺に、臨場感を向上させるような拡張画像２０が表示される。もちろん、このような投射画像３０の構成に限定される訳ではない。
【００５０】
本実施形態では、有効画像１０の解像度が、拡張画像２０の解像度と異なるように、画像光Ｗ２が投射され投射画像３０が表示される。具体的には、拡張画像２０の解像度が、有効画像１０の解像度よりも低くなるように、画像光Ｗ２が投射される。
【００５１】
例えば、ユーザの安定注視野に表示される有効画像１０として高解像度の高精細な画像が表示される。そしてユーザの周辺視野に表示される拡張画像２０として、低解像度の画像が表示される。なおこの周辺視野の画像はフォーカスがずれたピンボケ気味の画像でもよい。これにより、臨場感を感じながら有効画像１０に意識を集中することが可能となる。すなわち拡張画像２０により注意が散漫となってしまうような状態を十分に防止することが可能となり、非常に高品質の画像表示が実現される。
【００５２】
なお、有効画像１０の解像度及び拡張画像２０の解像度は、有効画像１０に含まれる有効画素の密度及び拡張画像２０に含まれる拡張画素の密度により規定することが可能である。
【００５３】
本実施形態において、被投射物に表示される画像の解像度は、被投射物に表示される画像状態に含まれる。すなわち本実施形態では、有効画像の画像状態が、拡張画像の画像状態と異なるように、画像光Ｗ２が投射されている。
【００５４】
なお本開示において、画像状態とは、被投射物に画像がどのように表示されるかに関連する種々のパラメータを含む。例えば、画像光Ｗ２に対する拡大率や、画素サイズ等も、画像状態に含まれ得る。
【００５５】
有効画像１０を表示するための有効画像データ、及び拡張画像２０を表示するための拡張画像データを生成する方法は限定されない。例えば、コンテンツごとに、有効画像データ及び拡張画像データが予め準備されていてもよい。あるいは、従来のディスプレイ全体に表示されるメインコンテンツの画像データを有効画像データとして用いる。そして有効画像データに基づいて、拡張画像データが適宜生成されてもよい。
【００５６】
例えば有効画像１０の周縁付近の画像データが、そのまま拡張画像データとして用いられてもよい。あるいは、有効画像データを解析することで、有効画像１０の周辺の画像を検出し、拡張画像データが生成されてもよい。あるいは映像コンテンツ等が表示される場合には、前後のフレーム画像の情報を分析することで、拡張画像データが生成されてもよい。
【００５７】
図３は、ＬＣＤ３１０の画素構成の一例を模式的に示す図である。図１に示すＬＣＤ３１０Ｒ、３１０Ｇ及び３１０Ｂは、互いに等しい画素構成を有する。従って、ＬＣＤ３１０Ｒ、３１０Ｇ及び３１０Ｂを区別することなく、ＬＣＤ３１０として説明を行う。
【００５８】
またＬＣＤ３１０Ｒ、３１０Ｇ及び３１０Ｂにより生成される赤色の画像光Ｒ２、緑色の画像光Ｇ２及び青色の画像光Ｂ２の合成についての記載を省略して、ＬＣＤ３１０により生成される画像光を、図１に示す画像光Ｗ２として説明する場合もある。
【００５９】
ＬＣＤ３１０の画素が配置される画素領域は、有効画素領域１５と、拡張画素領域２５とに区分される。有効画素領域１５は、画素領域の中央に位置する中央領域１１に設定される。有効画素領域１５により、有効画素光が生成される。すなわち、有効画素領域１５に含まれる有効画素１６から出射される画素光により、有効画素光が構成される。
【００６０】
拡張画素領域２５は、画素領域の中央領域１１の周辺を囲む周辺領域２１に設定される。すなわち拡張画素領域２５は、有効画素領域１５の周辺を囲むように設定される。拡張画素領域２５により、拡張画素光が生成される。すなわち拡張画素領域２５に含まれる拡張画素２６から出射される画素光により、拡張画素光が構成される。
【００６１】
本実施形態では、ＬＣＤ３１０により、有効画素光及び拡張画素光を含む画像光Ｗ２が生成される。なおＲＧＢの合成について説明すると、画像光Ｗ２に含まれる有効画素光は、ＲＧＢの各色の有効画素光が合成されたフルカラーの有効画素光に相当する。また画像光Ｗ２に含まれる拡張画素光は、ＲＧＢの各色の拡張画素光が合成されたフルカラーの拡張画素光に相当する。
【００６２】
被投射物に画像光Ｗ２が投射されると、画像光Ｗ２に含まれる有効画素光により、図２に示す有効画像１０が構成される。また画像光Ｗ２に含まれる拡張画素光により、図２に示す拡張画像２０が構成される。すなわち画像表示装置５００は、有効画素光により構成される有効画像１０の画像状態が、拡張画素光により構成される拡張画像２０の画像状態と異なるように、画像光Ｗ２を投射する。
【００６３】
例えば、有効画素領域１５として、アスペクト比が１６：９であり、横１９２０画素×縦１０８０画素のフルＨＤ相当の画素構成を含む領域が設定される。その周辺に、臨場感を向上させるような拡張画素領域が設定される。もちろん、このような投射画像３０の画素構成に限定される訳ではない。
【００６４】
本実施形態では、有効画素領域１５の画素ピッチが、拡張画素領域２５の画素ピッチと異なるように設定される。具体的には、拡張画素領域２５の画素ピッチが、有効画素領域１５の画素ピッチよりも大きくなるように設定される。なお図３に示すように、拡張画素領域２５の画素の密度が、有効画素領域１５の画素の密度よりも大きくなっているとも言える。
【００６５】
本実施形態において、有効画素領域１５及び有効画素光は、第１の画素領域及び第１の画素光に相当する。拡張画素領域２５及び拡張画素光が、第２の画素領域及び第２の画素光に相当する。ＬＣＤ３１０は、第１の画素領域と第２の画素領域とを有し、第１の画素領域により生成される第１の画素光と、第２の画素領域により生成される第２の画素光とを含む画像光を生成する画像生成部に相当する。
【００６６】
また本実施形態において、有効画像１０は、第１の画素光により構成される第１の部分画像に相当する。拡張画像２０が、第２の画素光により構成さる第２の部分画像に相当する。
【００６７】
図４は、ＬＣＤ３１０の画素領域の回路構成の一例を示す模式図である。図４では、図示を簡素化するために、有効画素１６及び拡張画素２６の数が少なく図示されている。もちろん有効画素及び拡張画素の数は限定されず、任意に設定されてよい。
【００６８】
ＬＣＤ３１０は、複数の有効画素１６と、複数の拡張画素２６と、ゲートドライバー３１１と、ソースドライバー３１５と、複数のゲート線３１２と、複数のソース線３１６とを有する。なお図中では、ゲート線３１２は「Gate()」と図示され、ソース線３１６は「Sig()」と図示されている。
【００６９】
図４に示す例では、６×６の合計３６個の有効画素１６が配置される。この３６個の有効画素１６が配置される領域が、有効画素領域１５となる。
【００７０】
拡張画素２６は、３×３の合計９個の有効画素１６分のサイズを有する。すなわち拡張画素２６の画素サイズは、有効画素１６の画素サイズの９倍となる。また拡張画素２６の画素ピッチは、有効画素１６の画素ピッチの３倍となる。
【００７１】
図４に示すように、本実施形態では、有効画素領域１５の上下に、左右に並ぶ拡張画素２６が２つずつ配置される。また有効画素領域１５の左右に２×２の合計４つの拡張画素２６がそれぞれ配置される。またＬＣＤ３１０の４隅部には、左右に並ぶ拡張画素２６が２つずつ配置される。これら合計２０個の拡張画素２６が配置される領域が、拡張画素領域２５となる。
【００７２】
３６個の有効画素１６に対応して、ゲート線１〜６、及びソース線１〜６がそれぞれ配置される。ＬＣＤ３１０の最上部に左右に並ぶ拡張画素２６に対してゲート線Ｔ１が配置される。ＬＣＤ３１０の最下部に左右に並ぶ拡張画素２６に対してゲート線Ｂ１が配置される。またＬＣＤ３１０の左端部から上下に並ぶ２列の拡張画素２６に対して、ソース線Ｌ１及びＬ２が配置される。ＬＣＤ３１０の右端部から上下に並ぶ２列の拡張画素２６に対して、ソース線Ｒ１及びＲ２が配置される。
【００７３】
ＬＣＤ３１０の最上部から２行目の左右に並ぶ拡張画素２６に対しては、ゲート線１〜３のうちの任意の１つを、ゲート線として用いることが可能である。ＬＣＤ３１０の最下部から２行目の左右に並ぶ拡張画素２６に対しては、ゲート線４〜６のうちの任意の１つを、ゲート線として用いることが可能である。
【００７４】
ＬＣＤ３１０の左端部から３行目の上下に１つずつ配置される拡張画素２６に対しては、ソース線１〜３のうちの任意の１つを、ソース線として用いることが可能である。ＬＣＤ３１０の右端部から３行目の上下に１つずつ配置される拡張画素２６に対しては、ソース線４〜６のうちの任意の１つを、ソース線として用いることが可能である。
【００７５】
図４に示す例のように、拡張画素２６の画素ピッチが、有効画素１６の画素ピッチの整数倍となるように設計する。これにより回路構成の設計が容易となる。例えば、有効画素１６と拡張画素２６とでゲート線３１２やソース線３１６を共有させることも可能となり、回路構成及び製造工程の簡素化を実現することが可能となる。
【００７６】
もちろん、有効画素１６及び拡張画素２６の数、形状、及びサイズは限定されない。例えば、ＬＣＤ３１０の形状や大きさに合わせて任意に有効画素１６及び拡張画素２６の数、形状、及びサイズが設定されてもよい。
【００７７】
図５は、ＬＣＤ３１０により生成された画像光の投射を説明するための模式図である。上記でも記載したが、ＬＣＤ３１０により生成された画像光を、図１に示す画像光Ｗ２として説明を行う。図中の投射レンズ部５０は、図１に示す投射システム４００内の複数の投射レンズ４１０を含むレンズ光学系を模式的に図示したものである。
【００７８】
ＬＣＤ３１０は、複数の有効画素１６、複数の拡張画素２６、及び額縁３６を有する。額縁３６は、拡張画素２６の周囲を囲うように配置され、ＬＣＤ３１０を機能させるための周辺回路を内蔵する。
【００７９】
ＬＣＤ３１０により生成された画像光Ｗ２は、所定の方向に沿って、投射レンズ部５０に向かって出射される。投射レンズ部５０は、所定の方向に沿って入射する画像光Ｗ２を、所定の光軸方向に沿って、スクリーン６０に投射する。
【００８０】
典型的には、所定の方向は、投射レンズ部５０（投射レンズ光学系）の光軸方向に相当する。また所定の光軸方向は、画像表示装置５００の光軸方向となる。また図５に示すように、投射レンズ部５０は、入射する画像光Ｗ２に対して、上下左右が反転された画像を、スクリーン６０に投射する。なお、このような投射光学系の構成に限定される訳ではない。
【００８１】
また実際には、投射レンズ部５０により、ＬＣＤ３１０により生成された画像光Ｗ２が、所定の拡大率で拡大されてスクリーン６０に投射される。スクリーン６０に表示される投射画像３０の画像サイズは、投射レンズ部５０の拡大率、及びスクリーン６０と画像表示装置５００との距離等により定められる。
【００８２】
後に、画像光Ｗ２に対する投射画像３０の拡大率について説明を行う。その説明を分かりやすくするために、図５では、ＬＣＤ３１０により生成された画像光Ｗ２が拡大されずに、スクリーン６０に投射される図が模式的に図示されている。この図は、画像光Ｗ２が全体的に同一の拡大率で拡大されてスクリーン６０に投射される状態の一例を表す図ともいえる。
【００８３】
図３及び図４を参照して説明したように、ＬＣＤ３１０の拡張画素領域２５の画素ピッチが、有効画素領域１５の画素ピッチよりも大きくなるように設計される。そして図５に示すように、ＬＣＤ３１０により生成された画像光Ｗ２が、全体的に同一の拡大率で拡大されてスクリーン６０に投射される（図５の例では等倍率）。
【００８４】
従って、拡張画素光２７により構成される拡張画像の解像度が、有効画素光１７により構成される有効画像１０の解像度よりも低くなるように、画像光Ｗ２が投射される。これにより、図２に例示するような、中央が高解像であり、その周辺が低解像となる投射画像３０を投射することが可能となる。この結果、高品質な画像表示を実現することが可能となる。
【００８５】
本実施形態において、投射レンズ部５０は、第１の画素光により構成される第１の部分画像の画像状態が、第２の画素光により構成される第２の部分画像の画像状態と異なるように、画像光を投射する投射光学系として機能する。
【００８６】
また、投射レンズ部５０は、有効画素光１７（第１の画素光）を投射する第１の投射部、及び拡張画素光（第２の画素光）を投射する第２の投射部としても機能する。なお、投射レンズ部５０の、有効画素光１７に対して光学的な作用を及ぼす部分を第１の投射部として見做し、拡張画素光２７に対して光学的な作用を及ぼす部分を第２の投射部として見做すことも可能である。
【００８７】
図５に示す例では、次の事項が成り立つ。すなわち第１の投射部は、所定の拡大率で有効画素光を投射し、第２の投射部は第１の投射部と等しい拡大率で、拡張画素光を投射する。
【００８８】
［第１の実施形態の変形例］
図６〜図９を参照して、第１の実施形態の変形例について説明する。図６〜図９は、有効画像及び拡張画像の投射方法の他の一例を示す模式図である。図６〜図９に例示する構成では、投射画像３０の拡張画像２０の面積をより大きくするために、マイクロレンズが追加される。なお拡張画像の面積が大きくなると、拡張画像の解像度はさらに低くなる。
【００８９】
マイクロレンズは、ＬＣＤ３１０とは別個に構成されてもよいし、ＬＣＤ３１０と一体的に構成されてもよい。またマイクロレンズの具体的な構成も限定されず、フレネルレンズや回折レンズ等の任意の構成が採用されてよい。その他、マイクロレンズを実現するための任意の技術が用いられてよい。
【００９０】
図６に示す例では、拡張画素領域２５を覆うように、第１のマイクロレンズ５１及び第２のマイクロレンズ５２が配置される。すなわち拡張画素２６から出射される拡張画素光２７の光路上に、第１のマイクロレンズ５１及び第２のマイクロレンズ５２が配置される。
【００９１】
図６に示すように、第１のマイクロレンズ５１及び第２のマイクロレンズ５２は、拡張画素光２７を拡大させて、所定の方向に沿って、投射レンズ部５０に入射させる。これにより拡張画像２０がさらに拡大された投射画像３０を、スクリーン６０に投射させることが可能となる。この結果、さらに臨場感のある画像表示が実現され、高品質な視聴体験を提供することが可能となる。またＬＣＤ３１０を大型化させることなく、投射画像３０の拡張画像２０を拡大させることが可能となり、装置の小型化に非常に有利である。
【００９２】
また図６では、拡張画素光２７は、第１のマイクロレンズ５１及び第２のマイクロレンズ５２により額縁３６方向に広がるようにスクリーン６０に投射される。この結果、拡張画素領域２５の面積に対して、より広く拡張画像２０をスクリーン６０に表示できることが可能となる。これにより、額縁３６が配置されている領域を活用することで狭額縁化が可能となる。
【００９３】
図６に示す例において、第１のマイクロレンズ５１及び第２のマイクロレンズ５２は、第１の投射部よりも大きい拡大率で、第２の画素光を投射する第２の投射部の一部として機能する。また第１のマイクロレンズ５１及び第２のマイクロレンズ５２は、拡張画素光２７の少なくとも一部を拡大させて、所定の方向に沿って投射レンズ部５０に入射させる拡大レンズ部として機能する。
【００９４】
図７に示す例では、拡張画素領域２５を覆うように、第３のマイクロレンズ５３が配置される。すなわち拡張画素２６から出射される拡張画素光２７の光路上に、第３のマイクロレンズ５３が配置される。
【００９５】
図７に示すように、第３のマイクロレンズ５３は、拡張画素光２７を、所定の方向に交差する方向に沿って、投射レンズ部５０に入射させる。本実施形態では、投射レンズ部５０の前段側にて、拡張画素光が交差するように、拡張画素光２７が投射レンズ部５０に入射される。
【００９６】
これにより拡張画像２０がさらに拡大された投射画像３０を、スクリーン６０に投射させることが可能となる。この結果、さらに臨場感のある画像表示が実現され、高品質な視聴体験を提供することが可能となる。またＬＣＤ３１０を大型化させることなく、投射画像３０の拡張画像２０を拡大させることが可能となり、装置の小型化に非常に有利である。
【００９７】
図６に示す例との差異として図７に示す例では、拡張画素領域２５を拡大させた場合、投射レンズ部５０に垂直に入るため、拡張画素領域２５の面積に合わせて投射レンズ部５０のサイズを大きくする必要がある。
【００９８】
しかし、図７に示す例では、拡張画素領域２５を拡大させた場合でも、第３のマイクロレンズ５３の曲率等を調整することで投射レンズ部５０のサイズを変える必要がない。これにより、既定サイズの投射レンズのままで拡張画像２０を大きく表示することが可能となる。
【００９９】
また図７に示す例では、第２のマイクロレンズ５２により拡張画素光が投射レンズに対して有効画素光と同じ方向に入射されていないため、有効画像１０と拡張画像２０とが光学系の設計上のバラツキから有効画像１０と拡張画像２０との一部分が重なる場合がある。
【０１００】
この場合、有効画像１０と拡張画像２０との重なりを防止する方法の例として、重なった部分の有効画素１６又は拡張画素２６を黒表示にする方法、及びＬＣＤ３１０上で有効画素１６と拡張画素２６との間を空ける方法が挙げられる。
【０１０１】
これにより、有効画像１０と拡張画像２０との重なりが防止され、高品質な画像表示が可能となる。
【０１０２】
図７に示す例において、第３のマイクロレンズ５３は、第１の投射部よりも大きい拡大率で、第２の画素光を投射する第２の投射部の一部として機能する。また第３のマイクロレンズ５３は、拡張画素光２７の少なくとも一部を所定の方向に交差する方向に沿って投射レンズ部５０に入射させる拡大レンズ部として機能する。
【０１０３】
図８に示す例では、拡張画素領域２５の一部を覆うように、第４のマイクロレンズ５４が配置される。具体的には、有効画素領域１５の中央領域１８とは反対側に位置する外側領域２８を覆うように、第４のマイクロレンズ５４が配置される。外側領域２８は、拡張画素領域２５の周縁側の領域とも言える。第４のマイクロレンズ５４は、外側領域２８に含まれる拡張画素２６から出射される拡張画素光２７の光路上に配置されることになる。
【０１０４】
図８に示すように、第４のマイクロレンズ５４は、外側領域２８により生成される拡張画素光２７を、所定の方向に交差する方向に沿って、投射レンズ部５０に入射させる。本実施形態では、投射レンズ部５０の前段側にて、拡張画素光２７が交差するように、拡張画素光２７が投射レンズ部５０に入射される。
【０１０５】
これにより外側領域２８に対応する拡張画像２０がさらに拡大された投射画像３０を、スクリーン６０に投射させることが可能となる。この結果、さらに臨場感のある画像表示が実現され、高品質な視聴体験を提供することが可能となる。またＬＣＤ３１０を大型化させることなく、投射画像３０の拡張画像２０を拡大させることが可能となり、装置の小型化に非常に有利である。
【０１０６】
図８に示す例では、有効画素１６と隣接する拡張画素２６から出射される拡張画素光がスクリーンに垂直に入射するため、有効画素光と拡張画素光とが重なることを防止することが可能となる。
【０１０７】
図８に示す例において、第４のマイクロレンズ５４は、第１の投射部よりも大きい拡大率で、第２の画素光を投射する第２の投射部の一部として機能する。また第４のマイクロレンズ５４は、拡張画素光２７の少なくとも一部を所定の方向に交差する方向に沿って投射レンズ部５０に入射させる拡大レンズ部として機能する。
【０１０８】
なお、図６に例示する第１のマイクロレンズ５１及び第２のマイクロレンズ５２を、外側領域２８のみを覆うように配置することも可能である。この場合、第１のマイクロレンズ５１及び第２のマイクロレンズ５２は、外側領域２８により生成される拡張画素光２７を拡大させて、所定の方向に沿って、投射レンズ部５０に入射させる。これにより外側領域２８に対応する拡張画像２０がさらに拡大された投射画像３０を、スクリーン６０に投射させることが可能となる。
【０１０９】
図９に示す例では、拡張画素領域に含まれる複数の拡張画素２６の各々に、第５のマイクロレンズ５５が配置される。すなわち１つの拡張画素２６に対して、１つの第５のマイクロレンズ５５が配置される。
【０１１０】
複数の第５のマイクロレンズ５５は、各々の拡張画素２６から出射される拡張画素光２７を、所定の方向に交差する方向に沿って、投射レンズ部５０に入射させる。これにより拡張画像２０がさらに拡大された投射画像３０を、スクリーン６０に投射させることが可能となる。例えば、複数の第５のマイクロレンズ５４の各々は、配置される拡張画素２６の位置に応じた曲率を有するように設計することも可能である。これにより、拡張画像２０の面積等を細かく制御することが可能となり、高品質な画像表示が実現される。
【０１１１】
図９に示す例と図７及び図８に示す例との差異としては、拡張画素２６の各々に第５のマイクロレンズ５５が用いられることにより、拡張画素２６ごとに第５のマイクロレンズ５５の曲率を変えることが可能となる。これにより、スクリーン６０に表示される拡張画像の位置を制御することができる。
【０１１２】
また図９に示す例では、図７に示す例と同様に光学系の設計上のバラツキから重なる場合がある。この場合、拡張画素光の投射される位置をそれぞれの第５のマイクロレンズ５５により制御できるため有効画素光１７と拡張画素光２７とが重なることを防止することができる。
【０１１３】
また拡張画素光２７の投射される位置を制御できるため、画像表示装置５００とスクリーン６０との距離に応じて、重なった部分の有効画素１６又は拡張画素２６を制御することで重なることを防止することができる。
【０１１４】
なお、第１のマイクロレンズ５１、第２のマイクロレンズ５２、第３のマイクロレンズ５３、第４のマイクロレンズ５４、及び第５のマイクロレンズに用いられるレンズの種類は限定されない。例えば、凸レンズ、凹レンズ、及び液晶レンズ等の任意のレンズが用いられてもよい。
【０１１５】
また第１のマイクロレンズ５１、第２のマイクロレンズ５２、第３のマイクロレンズ５３、第４のマイクロレンズ５４、及び第５のマイクロレンズが配置される位置も限定されない。例えば、ＬＣＤ３１０の各画素に内蔵されたり、ＬＣＤ３１０の各画素に貼り付けられてもよい。
【０１１６】
すなわち、第１のマイクロレンズ５１、第２のマイクロレンズ５２、第３のマイクロレンズ５３、第４のマイクロレンズ５４、及び第５のマイクロレンズは、図２に示すような有効画像１０及び拡張画像２０が被投射物に対して互いに異なる画像状態となるように投射されるように任意の種類や曲率で構成されてもよい。
【０１１７】
製造工程を考慮した場合、図６に示す例では、第１のマイクロレンズ５１をＬＣＤ３１０の各画素に貼り付け、第２のマイクロレンズ５２を離して配置すると作りやすい。また図７に示す例では、第３のマイクロレンズ５３をＬＣＤ３１０に貼り付けると作りやすい。さらにまた図８及び図９に示す例では、第４のマイクロレンズ５４及び第５のマイクロレンズ５５をＬＣＤ３１０に内蔵すると作りやすい。
【０１１８】
ＬＣＤ３１０に第１のマイクロレンズ５１、第２のマイクロレンズ５２、第３のマイクロレンズ５３、第４のマイクロレンズ５４、及び第５のマイクロレンズが内蔵される場合、使用されるレンズは、非球面凸レンズ、凹レンズをベースにしたフレネルレンズ、又は回折レンズが挙げられる。これらのレンズの場合、容易に画像表示装置５００を製造可能となる。
【０１１９】
図９に示す例において、第５のマイクロレンズ５５は、第１の投射部よりも大きい拡大率で、第２の画素光を投射する第２の投射部の一部として機能する。また第５のマイクロレンズ５５は、拡張画素光２７の少なくとも一部を所定の方向に交差する方向に沿って投射レンズ部５０に入射させる拡大レンズ部として機能する。
【０１２０】
以上、本実施形態に係る画像表示装置５００では、有効画素領域１５により生成される有効画素光１７と、拡張画素領域２５により生成される拡張画素光２７とを含む画像光Ｗ２が生成される。そして有効画素光１７により構成される有効画像１０の画像状態が、拡張画素光２７により構成される拡張画像２０の画像状態と異なる様に、画像光Ｗ２が投射される。これにより、高品質な画像表示が可能となる。
【０１２１】
臨場感のある画像表示を行う場合、例えば、複数台のプロジェクタのブレンディングで大画面かつ高解像度、又は１台のプロジェクタの特殊設計のレンズを用いて中央は中解像度、周辺ほど低解像度に表示することが挙げられる。一方、複数台のプロジェクタや特殊設計のレンズを用いたプロジェクタではコストが増加してしまう。
【０１２２】
そこで、本技術では、１台のプロジェクタの表示パネルの有効画素領域に低解像度の周辺画素を追加する。追加された周辺画素は、有効画素の画素サイズと同等以下で低解像度にする。また周辺画素は、外周に広がるようにマイクロレンズの設計を行ってもよい。
【０１２３】
すなわち、スクリーンに投射される投射画像は、拡張画素により中央に表示される有効画像が広く拡張され、ユーザの視界が画像で満たされる。この結果、１台のプロジェクタで中央は高解像度、周辺は低解像度となる投射画像を既存のレンズを使って低コストで実現することが可能となる。これにより、高品質な画像表示が可能となる。
【０１２４】
上記した特許文献１に記載の表示装置では、表示パネルＰＮＬ内の表示領域ＡＡが有する周辺表示領域ＰＡが、額縁領域ＰＦ方向に近くなるほど高精細化する。すなわち、周辺表示領域ＰＡは、中央表示領域ＣＡから遠ざかるほど画素密度が大きくなる。
【０１２５】
また特許文献１に記載の表示装置は、表示パネルＰＮＬ上に矩形状の透光性カバーＴＣが配置される。透光性カバーＴＣは、平板部ＴＣＦと透光性カバーＴＣの４辺に設けられたレンズ部ＴＣＬとを有する。レンズ部ＴＣＬは、周辺表示領域ＰＡの高精細な画像光を額縁領域ＰＦ側に屈折させ、額縁上に虚像を表示させる。
【０１２６】
額縁上に表示される周辺表示領域ＰＡの画素密度が中央表示領域ＣＡに表示される画素密度と比べて、レンズで拡大されることにより映像の画質低下が起こる。特許文献１では、これを補正するために周辺表示領域ＰＡの画素密度を額縁領域ＰＦ方向に近くなるほど高密度化をするようにしている。このように特許文献１では、中央表示領域ＣＡに表示される映像と額縁上に表示される映像の画質を均一にすることを重要な目的として、技術の開示がなされている。
【０１２７】
すなわち特許文献１には、本技術に係る「第１の画素光により構成される第１の部分画像の画像状態が、第２の画素光により構成される第２の部分画像の画像状態と異なるように、画像光を投射する」という技術思想については記載や示唆はなく、特許文献１に基づいて本技術を容易に想到するといったこともないものと考えられる。
【０１２８】
＜第２の実施形態＞
本技術に係る第２の実施形態の画像表示装置について説明する。これ以降の説明では、上記の実施形態で説明した画像表示装置５００における構成及び作用と同様な部分については、その説明を省略又は簡略化する。
【０１２９】
図１０は、本技術の第２の実施形態に係るＬＣＤ３１８の画素領域の回路構成の一例を示す模式図である。図１０では、図示を簡素化するために、有効画素６６及び拡張画素７６の数が少なく図示されている。もちろん有効画素及び拡張画素の数は限定されず、任意に設定されてよい。
【０１３０】
本実施形態では、拡張画素７６の画素ピッチは、有効画素６６の画素ピッチと等しくなるように設計される。有効画素６６及び拡張画素７６の画素ピッチが互いに等しい場合、ゲート線３１２やソース線３１６等の配線を簡単な構造にすることができるため、容易に製造可能となる。
【０１３１】
本実施形態では、投射レンズ部５０や、マイクロレンズ等を適宜設計して配置することで、有効画素光１７により構成される有効画像１０の画像状態が、拡張画素光２７により構成される拡張画像２０の画像状態と異なる様に、画像光Ｗ２を投射することが可能である。例えば図６〜図９に例示した構成等を採用することが可能である。もちろん他の構成が採用されてもよい。
【０１３２】
＜第３の実施形態＞
図１１は、本技術の第３の実施形態に係るＬＣＤ３１９の画素領域の回路構成の一例を示す模式図である。図１１では、図示を簡素化するために、有効画素６７及び拡張画素８６の数が少なく図示されている。もちろん有効画素６７及び拡張画素８６の数は限定されず、任意に設定されてよい。
【０１３３】
ＬＣＤ３１９は、複数の有効画素６７と、複数の拡張画素８６と、ゲートドライバー３１１Ｌと、ゲートドライバー３１１Ｒと、ソースドライバー３１５Ｔと、ソースドライバー３１５Ｂと、複数のゲート線３１２と、複数のソース線３１６とを有する。
【０１３４】
各有効画素６７及び各拡張画素８６に対応して、ゲート線及びソース線が配置される。図１１に示す例では、有効画素６７及び有効画素６７と同じゲート線及びソース線に並ぶ拡張画素８６に対して、ゲート線１ａ及び１ｂ〜６ａ及び６ｂとソース線１ａ及び１ｂ〜６ａ及び６ｂのうちの任意の１つのゲート線及びソース線として用いることが可能である。
【０１３５】
また図１１に示す例では、ＬＣＤ３１９の４隅部に配置される拡張画素８６に対して、ゲート線Ｔ１〜Ｔ４及びゲート線Ｂ１〜Ｂ４のうちの任意の１つを、ゲート線として用いることが可能である。またＬＣＤ３１９の４隅部に配置される拡張画素８６に対して、ソース線Ｌ１〜Ｌ４及びソース線Ｒ１〜Ｒ４のうちの任意の１つを、ソース線として用いることが可能である。
【０１３６】
本実施形態では、拡張画素７６の画素ピッチは、有効画素６７の画素ピッチよりも小さくなるように設計される。すなわち、拡張画素領域２５に配置される画素の密度を大きくする。
【０１３７】
これにより、拡張画素８６の画素ピッチが狭く配置されることで、ＬＣＤ３１９全体のサイズを小さくすることが可能となる。すなわち、画像表示装置５００の製造する際の低コスト化が可能となる。
【０１３８】
本実施形態では、投射レンズ部５０や、マイクロレンズ等を適宜設計して配置することで、有効画素光１７により構成される有効画像１０の画像状態が、拡張画素光２７により構成される拡張画像２０の画像状態と異なる様に、画像光Ｗ２を投射することが可能である。例えば図６〜図９に例示した構成等を採用することが可能である。もちろん他の構成が採用されてもよい。
【０１３９】
ＬＣＤ３１９が画像表示装置５００に用いられた場合、投射する方法としては、図６〜図９に示す例のいずれか１つが用いられる。これにより、投射される拡張画像の解像度は、有効画像の解像度よりも低くなる。
【０１４０】
本技術では、拡張画素８６から出射される拡張画像２０の解像度は、ユーザの周辺視野に含まれることが想定されているため中央に表示される有効画像１０よりも解像度が低くてよい。すなわち、拡張画像２０がピンボケしているような低解像度であっても、ユーザは十分に映像に包まれたような臨場感を体験することができる。
【０１４１】
また本技術において、拡張画素８６の画素ピッチが中央に配置される有効画素６７の画素ピッチよりも狭くなるように配置される理由は、拡張画素８６の画素ピッチが狭いほど出射される拡張画素光のスクリーン６０に投射される位置の制御を細かく行えることが挙げられる。
【０１４２】
すなわち、本技術では、図９に示す例のように拡張画素光が投射される位置を制御し、有効画像１０と拡張画像２０とが重なることを防止する方法として、拡張画素８６の画素ピッチが有効画素６７の画素ピッチよりも狭くなるように配置される。これにより、ユーザの臨場感を損なわせない高品質な画像表示が可能となる。
【０１４３】
なお、典型的には、拡張画像の解像度が有効画像の解像度よりも低い投射画像３０が表示される。これに限定されず、用途等によっては、拡張画像の解像度が有効画像の解像度よりも高い投射画像３０が表示されてもよい。例えば、本実施形態において、図５に例示する構成が採用されてもよい。
【０１４４】
［画素構成の他の例］
図１２〜図１５は、ＬＣＤ３１０の画素構成の他の例を示す模式図である。
【０１４５】
図１２〜図１４に示す例では、有効画素領域１３１内に、均等な画素ピッチで複数の有効画素が配置される。例えば、有効画素１３０は、ＷＵＸＧＡ（Wide Ultra Extended Graphics Array）、ＷＱＸＧＡ（Wide Quad Extended Graphics Array）、及び４ｋ等の任意の画素構成を有していてもよい。
【０１４６】
有効画素領域１３１の周辺の拡張画素領域１４１には、画素サイズが異なる複数の種類の拡張画素１４０が配置される。なお、拡張画素１４０の画素サイズは、有効画素１３０の画素サイズを基準として設定される。これにより回路構成及び製造工程の簡素化を図ることが可能である。
【０１４７】
図１２に示す例では、ＬＣＤ３１０の画素領域が、有効画素領域１３１の４辺を延長した直線１３２〜１３５により区分けされる。さらに、有効画素領域１３１を４×４の合計１６個の有効画素１３０を１つの単位として区分けする直線１３２〜１３５により、ＬＣＤ３１０の画素領域が区分けされる。これら直線１３２〜１３５により区分けされた領域に相当する画素サイズの、拡張画素１４２がそれぞれ配置される。
【０１４８】
図１２に示す画素構成によれば、有効画像１０の上下左右に隣接する領域では、有効画像１０よりも低い解像度で拡張画像２０が表示される。そして投射画像３０の４隅部にて、最も解像度の低い拡張画像２０が表示される。
【０１４９】
図１３に示す例では、拡張画素１４５の画素サイズは、有効画素領域１３１の中心から遠ざかる程大きくなるように配置されてもよい。すなわち、拡張画素１４５は、有効画素領域１３１と隣接する位置が最も細かく配置される。これにより、有効画素領域１３１と隣接する拡張画素１４５の制御を細かく行うことができ、有効画像１０と拡張画像２０とが重なることを防止することができる。
【０１５０】
また図１３に示す例では、有効画像１０の隣接する部分では解像度が比較的高い拡張画像２０が表示され、外側にいくほど拡張画像２０の解像度が低くなるように表示される。
【０１５１】
図１４に示す例では、図１３に示す例よりさらに有効画素領域１５の近くでさらに細かく分けられる。有効画像１０の隣接する部分では解像度が比較的高い拡張画像２０が表示され、外側にいくほど解像度が低くなる。
【０１５２】
このように画素サイズが異なる複数の種類の拡張画素１４０が配置されてもよい。このような構成において、拡張画素領域１４１の画素ピッチは、例えば互いに隣接する画素間の画素ピッチの平均値により規定することが可能である。例えば有効画素１３０の画素ピッチと比べて、拡張画素領域１４１の画素ピッチの平均が小さい場合に、拡張画素１４０の画素ピッチが、有効画素１３０の画素ピッチよりも小さいということも可能である。もちろん他のパラメータにより、画素ピッチが規定されてもよい。
【０１５３】
なお、図１２〜図１４に例示する画素構成では、表示される拡張画像２０の解像度は、拡張画像全体で均一とはならない可能性が高い。このような場合でも、例えば拡張画素領域１４１に含まれる拡張画素１４０の密度に基づいて、拡張画像２０の解像度を規定することが可能である。もちろん他のパラメータにより、画像の解像度が規定されてもよい。
【０１５４】
有効画素１３０の画素ピッチが均等でない場合や、有効画像１０の解像度が画像全体で均一とならない場合もあり得る。このような場合でも、画素ピッチの平均や画素の密度等を用いて、画素ピッチや解像度等を規定することが可能である。
【０１５５】
図１５に示す例は、投射画像３０の有効画像１０と拡張画像２０とが重なることを防止する方法の一例である。
【０１５６】
空間１５０は、回路図を構成するための配線が通り、光を遮光する領域である。有効画素１３０及び拡張画素１４５から出射される各画素光は、投射レンズ部５０や第１のマイクロレンズ５１等により、有効画像１０と拡張画像２０との間が空かないように投射する。
【０１５７】
このように、有効画像１０と拡張画像２０とが重なることを防止する方法の例は、有効画素と隣接する拡張画素を細かく配置する以外に、有効画素領域１３１と拡張画素１４５の間に空間１５０を設けることが挙げられる。
【０１５８】
なお、有効画素１３０及び拡張画像１４５の画素サイズ及び画素数は限定されない。例えば、有効画素１３０の画素サイズは、拡張画素１４５の画素サイズに割り切れないサイズでもよい。この場合、拡張画素１４５は、任意の位置で配置される。
【０１５９】
また空間１５０は、黒表示の画素が用いられてもよい。例えば、有効画素１３０又は拡張画素１４５として、空間１５０に該当する領域に所定の画素数で黒表示を行う画素が配置されてもよい。
【０１６０】
本実施形態において、空間１５０は、第１の画素領域と第２の画素領域との間に、画素光が生成されない非生成領域に相当する。
【０１６１】
＜その他の実施形態＞
本技術は、以上説明した実施形態に限定されず、他の種々の実施形態を実現することができる。
【０１６２】
図１６〜図２０は、他の実施形態に係る画像表示装置の構成例を示す概略図である。図１６は、反射型の表示パネルを用いた３板方式の画像表示装置９００の模式図である。光源装置６００から出射された白色光Ｗ１がＲＧＢの各光に分離され。ＲＧＢ用の反射型の表示パネル７０１ＲＧＢに入射される。
【０１６３】
反射型の表示パネル７０１により生成された赤色の画像光Ｒ１、緑色の画像光Ｇ１、及び青色の画像光Ｂ１は合成され、フルカラーの画像光Ｗ２として、投射システム８００により投射される。反射型の表示パネル７０１としては、例えば反射型のＬＣＤや、デジタルマイクロミラーデバイス（ＤＭＤ）等が用いられてよい。
【０１６４】
このような反射型の表示パネルを用いた３板方式の画像表示装置９００に対して、本技術を適用することが可能である。例えばＲＧＢ用の反射型の表示パネル７０１Ｒ、７０１Ｇ、及び７０１Ｂを本技術に係る画像生成部として、有効画素領域及び拡張画素領域をそれぞれ設定する。そして、有効画素光により構成される有効画像の画像状態と、拡張画素光により構成される拡張画像の画像状態とが異なるように、画像光Ｗ２が投射される。もちろん上記で説明した種々の画素構成や、マイクロレンズ等が適宜用いられてよい。
【０１６５】
図１７は、自発光型の表示パネルを用いた３板方式の画像表示装置９５０の模式図である。ＲＧＢ用の自発光型の表示パネル９１１Ｒ、９１１Ｇ、及び９１１Ｂにより、色の画像光Ｒ１、緑色の画像光Ｇ１、及び青色の画像光Ｂ１が生成される。ＲＧＢ各色の画像光合成され、フルカラーの画像光Ｗ２として、投射システム９３０により投射される。自発光型の表示パネル９１１としては、例えば有機ＥＬ（Organic Electro Luminescence）パネル等が用いられる。
【０１６６】
このような自発光型の表示パネルを用いた３板方式の画像表示装置９５０に対して、本技術を適用することが可能である。例えばＲＧＢ用の自発光型の表示パネル９１１Ｒ、９１１Ｇ、及び９１１Ｂを本技術に係る画像生成部として、有効画素領域及び拡張画素領域をそれぞれ設定する。そして、有効画素光により構成される有効画像の画像状態と、拡張画素光により構成される拡張画像の画像状態とが異なるように、画像光Ｗ２が投射される。もちろん上記で説明した種々の画素構成や、マイクロレンズ等が適宜用いられてよい。
【０１６７】
図１８は、透過型の表示パネルを用いた１板方式の画像表示装置の模式図である。画像表示装置１０００では、カラーホイール１０２０を用いて色を表現する投射光学系を有している。画像表示装置１０００では、赤色の画像光Ｒ１、緑色の画像光Ｇ１、及び青色の画像光Ｂ１が、時分割で、投射システム９３０により投射される。
【０１６８】
このような反射型の表示パネルを用いた１板方式の画像表示装置１０００に対して、本技術を適用することが可能である。例えば反射型の表示パネルを本技術に係る画像生成部として、有効画素領域及び拡張画素領域をそれぞれ設定する。そして、有効画素光により構成される有効画像の画像状態と、拡張画素光により構成される拡張画像の画像状態とが異なるように、時分割で、ＲＧＢの各色の画像光が投射される。もちろん上記で説明した種々の画素構成や、マイクロレンズ等が適宜用いられてよい。
【０１６９】
図１９は、カラーフィルターを内蔵した透過型の表示パネルを用いた１板方式の画像表示装置の模式図である。表示パネル１０３１には白色光Ｗ１が入射される。表示パネル１０３１の１つの画素に対して、ＲＧＢのサブ画素が構成されている。ＲＧＢのサブ画素にてカラーフィルターを通ったＲＧＢの各色光が変調され、フルカラーの画像光Ｗ２が投射システム９３０により投射される。
【０１７０】
このような画像表示装置１０３０に対して、本技術を適用することが可能である。例えばＲＧＢのサブ画素が構成されている透過型の表示パネルを本技術に係る画像生成部として、有効画素領域及び拡張画素領域をそれぞれ設定する。この際には、ＲＧＢのサブ画素により構成される１つの画素を単位として、有効画素領域及び拡張画素領域が設定される。
【０１７１】
有効画素光（有効画素のＲＧＢのサブ画素により生成される光）により構成される有効画像の画像状態と、拡張画素光（拡張画素のＲＧＢのサブ画素により生成される光）により構成される拡張画像の画像状態とが異なるように、フルカラーの画像光が投射される。もちろん上記で説明した種々の画素構成や、マイクロレンズ等が適宜用いられてよい。
【０１７２】
なお、１つの画素を構成するサブ画素の具体的な構成は限定されない。ＲＧＢに加えてＷのサブ画素が設けられてもよい。また同じ色のサブ画素が複数個設けられてもよい。いずれにせよ、サブ画素により構成され１つの画素を単位として、本技術を適用することが可能である。
【０１７３】
図２０は、自発光型の表示パネルを用いた１板方式の画像表示装置の模式図である。表示パネル１０４１の１つの画素に対して、ＲＧＢのサブ画素が構成されている。ＲＧＢのサブ画素により、ＲＧＢの各色の画像光が生成され、フルカラーの画像光Ｗ２が投射システム９３０により投射される。ＲＧＢの各色の画像光を出射可能な構成が用いられてもよいし、カラーフィルターを介して、ＲＧＢの各色の画像光が生成されてもよい。
【０１７４】
このような画像表示装置１０４０に対して、本技術を適用することが可能である。例えばＲＧＢのサブ画素が構成されている自発光型の表示パネルを本技術に係る画像生成部として、有効画素領域及び拡張画素領域をそれぞれ設定する。この際には、ＲＧＢのサブ画素により構成される１つの画素を単位として、有効画素領域及び拡張画素領域が設定される。
【０１７５】
有効画素光（有効画素のＲＧＢのサブ画素により生成される光）により構成される有効画像の画像状態と、拡張画素光（拡張画素のＲＧＢのサブ画素により生成される光）により構成される拡張画像の画像状態とが異なるように、フルカラーの画像光が投射される。もちろん上記で説明した種々の画素構成や、マイクロレンズ等が適宜用いられてよい。
【０１７６】
図２１は、投射画像を表示するための画素がＲＧＢ３画素の場合の回路の一例を示す模式図である。ＬＣＤ１０５０は、ＬＣＤ１０３１やＬＣＤ１０４１の一例である。
【０１７７】
図２１に示すように、ＬＣＤ１０５０は、複数の有効画素１０６０及び複数の拡張画素１０７０を有する。複数の拡張画素１０７０は、図４のＬＣＤ３１０と同様に、有効画素１０６０よりも画素ピッチが広くなるように配置される。
【０１７８】
複数の有効画素１０６０は、赤色光を出射可能なＲ有効画素、緑色光を出射可能なＧ有効画素、及び青色光を出射可能なＢ有効画素を有する。また複数の有効画素１０６０は、Ｒ有効画素、Ｇ有効画素、及びＢ有効画素の順でＨ方向に沿って配置される。それぞれの色の有効画素は、Ｖ方向に沿って配置される。
【０１７９】
また同様に、複数の拡張画素１０７０は、赤色光を出射可能なＲ拡張画素１０７１、緑色光を出射可能なＧ拡張画素１０７２、及び青色光を出射可能なＢ拡張画素１０７３を有する。Ｒ拡張画素１０７１、Ｇ拡張画素１０７２、及びＢ拡張画素１０７３は、Ｈ方向に沿ってＲＧＢの順に並んでおり、Ｖ方向に沿って各拡張画素ごとに配置される。
【０１８０】
被投射物に投射される有効画像及び拡張画像は、各色の有効画素及び拡張画素により様々な色の画像を出射する。この結果、被投射物にフルカラーの投射画像が投射される。
【０１８１】
本実施形態では、各色の有効画素及び拡張画素は、色度調整の容易さから画素のサイズ比率が同じである。もちろんこれに限定されず、輝度を優先したい場合は緑色光を出射可能なＧ有効画素及びＢ拡張画素１０７３の画素のサイズを大きくしてもよい。また例えば、色度を優先したい場合は、強調したい色度に合わせた各色の画素のサイズ比率にしてもよい。さらに例えば、明るさを優先する場合は、ＲＧＢに白色（Ｗ）光が追加されたＲＧＢＷ４画素が用いられてもよい。
【０１８２】
ＲＧＢ３画素のＬＣＤ１０５０でも、図５〜図９に示す例を用いることで、投射画像３０が投射される。すなわち、有効画素１０６０により生成される有効画素光と拡張画素１０７０により生成される拡張画素光とを含む画像光が生成され、スクリーンに有効画像及び拡張画像の解像度が異なるように投射される。
【０１８３】
上記の実施形態では、１台の画像表示装置５００により投射画像３０が生成及び投射された。これに限定されず、複数台の画像表示装置により投射画像が生成及び投射がされてもよい。
【０１８４】
図２２は、投射画像のブレンディングを示す模式図である。図２２では、説明の便宜上Ｈ方向及びＶ方向を示す軸（点線）が記載されている。矢印方向を正の方向とし、Ｈ軸とＶ軸との交点が原点である。
【０１８５】
図２２に示すように、４台の画像表示装置５００ａ、ｂ、ｃ、及びｄは、矩形状の投射画像１３００の４隅の内の１つを含む投射画像１２５０ａ、ｂ、ｃ、及びｄを図示しないスクリーンに投射する。また各投射画像１２５０ａ、ｂ、ｃ、及びｄの２辺は、Ｈ軸及びＶ軸に接している。すなわち、投射画像１２５０ａ、ｂ、ｃ、及びｄがスクリーンに投射されることにより、１枚の画像を示す投射画像１３００が表示される。
【０１８６】
投射画像１２５０ａは、Ｈ軸方向負の方向とＶ軸方向正の方向との領域に配置される。投射画像１２５０ａは、原点を含む位置に投射される有効画像１１００ａと、有効画像１１００ａのＨ軸方向負の方向とＶ軸方向正の方向とに隣接して配置される拡張画像１２００ａを有する。
【０１８７】
拡張画像１２００ａは、有効画像１１００ａをＨ軸方向負の方向とＶ軸方向正の方向とに拡大した画像である。すなわち拡張画像１２００ａの解像度は、有効画像１１００ａの解像度よりも低くなるように投射される。
【０１８８】
同様に、投射画像１２５０ｂは、Ｈ軸方向負の方向とＶ軸方向負の方向との領域に配置される。投射画像１２５０ｂは、原点を含む位置に投射される有効画像１１００ｂと、有効画像１１００ｂのＨ軸方向負の方向とＶ軸方向負の方向とに隣接して配置される拡張画像１２００ｂを有する。
【０１８９】
投射画像１２５０ｃは、Ｈ軸方向正の方向とＶ軸方向負の方向との領域に配置される。投射画像１２５０ｃは、原点を含む位置に投射される有効画像１１００ｃと、有効画像１１００ｃのＨ軸方向正の方向とＶ軸方向負の方向とに隣接して配置される拡張画像１２００ｃを有する。
【０１９０】
投射画像１２５０ｄは、Ｈ軸方向正の方向とＶ軸方向正の方向との領域に配置される。投射画像１２５０ｄは、原点を含む位置に投射される有効画像１１００ｄと、有効画像１１００ｄのＨ軸方向正の方向とＶ軸方向正の方向とに隣接して配置される拡張画像１２００ｄを有する。
【０１９１】
４台の画像表示装置５００ａ、ｂ、ｃ、及びｄは、投射画像１２５０ａ、ｂ、ｃ、及びｄのＨ軸及びＶ軸に接している領域でブレンディングを行う。ブレンディングは、複数の画像の各画像の接する領域又は重なる領域のつなぎ目を目立たない様に補正する技術である。この結果、投射画像１２５０ａ、ｂ、ｃ、及びｄが１つの画像である投射画像１３００としてユーザに認識される。これにより、より大きな画像がスクリーンに投射されることで映像に包まれたような臨場感を体験することができる。
【０１９２】
すなわち、図２２に示す例では、４つの画像表示装置により、中央が高精細であり周辺が低解像度の投射画像１３００が投射される。この場合ＬＣＤの有効画素領域及び拡張画素領域も設定される。
【０１９３】
なお、画像表示装置５００の行う投射画像の補正は限定されない。例えば、投射画像１２５０ａ、ｂ、ｃ、及びｄの輝度や色合いを補正してもよい。また例えば、ドーム型や多面型のような湾曲したスクリーンの場合、表示される領域に応じて投射画像１２５０ａ、ｂ、ｃ、及びｄの歪み等が補正されてもよい。
【０１９４】
上記の実施形態では、拡張画像２０は、有効画像１０を拡大した画像が用いられた。これに限定されず、様々な画像が拡張画像２０として用いられてもよい。例えば、プロジェクタが投射する映像に元々拡張画像２０が用意された画像データが用いられてもよい。すなわち、画像表示装置５００の機能を有さないテレビ等では、ディスプレイに有効画像１０のみが表示され、画像表示装置５００の機能を有するプロジェクタでは、有効画像１０及び拡張画像２０が投射されてもよい。
【０１９５】
これ以外にも、投射される特定の時間の映像の前後が画像解析されることで拡張画像２０が生成されてもよい。例えば、キャラクターが右から左に走っている映像等の場合、画面右側の拡張画像をキャラクターが現在走っている映像よりも過去の映像の背景が用いられてもよい。すなわち、左側の拡張画像は、キャラクターがこれから走り抜ける場所の背景映像（未来の映像）が用いられ、右側の拡張画像は、キャラクターが走り抜けた場所の背景映像が用いられる。
【０１９６】
上記の図１、図１６及び図１７に記載の投射光学系では、３枚のＬＣＤが用いられる方式が用いられた。これに限定されず、ＬＣＤの代わりにＤＭＤ（Digital Mirror Device）が用いられてもよい。ＤＭＤは、ＬＣＤと比べて経年劣化が少ないため信頼性が高く、長期間の利用が可能となる。また画像表示装置５００を構成する部品の点数を抑えられるため、軽量化及び小型化が可能となる。
【０１９７】
また上記の実施形態で用いられたＬＣＤ以外にも、ＬＣＯＳ（Liquid Crystal On Silicon）が用いられてもよい。この場合、ＬＣＤを用いた画像表示装置よりも高精細な投射画像を投射することが可能となる。
【０１９８】
上記の実施形態では、画像表示装置５００は、スクリーン６０の真正面に配置されていた。すなわち、画像表示装置５００は、投射される投射画像３０がスクリーン６０に対して垂直に入射するように配置された。これに限定されず、画像表示装置５００は、スクリーン６０に投射画像３０を投射可能な位置であれば任意に配置されてよい。
【０１９９】
この場合画像表示装置５００は、被投射物に対して配置された位置や向きに基づいて、様々な補正を行ってよい。例えば、投射画像３０がスクリーン６０に対して斜めに入射される際、画像表示装置５００は、有効画像１０の縦や横の台形歪みを補正してもよい。また画像表示装置５００は、拡張画像２０の解像度が低くてもよいため、拡張画像２０の台形歪みを補正しなくてもよい。もちろん拡張画像２０の台形歪みを補正してもよい。
【０２００】
これ以外にも、画像表示装置５００は、有効画像１０のフォーカスが合うように自動的に制御してもよい。また画像表示装置５００は、投射画像３０に適した画面アスペクト比で投射するように制御してもよい。また画像表示装置５００は、スクリーン６０のサイズ（面積）に基づいて、投射画像３０の投射される際の面積を制御してもよい。
【０２０１】
本開示において、「等しい」「同じ」「均一」「中心」「中央」「垂直」「平行」等は、「実質的に等しい」「実質的に同じ」「実質的に均一」「実質的に中心」「実質的に中央」「実質的に垂直」「実質的に平行」等を含む概念とする。
【０２０２】
例えば「完全に等しい」「完全に同じ」「完全に均一」「完全に中心」「完全に中央」「完全に垂直」「完全に平行」等を基準とした所定の範囲（例えば±１０％の範囲）に含まれる状態も含まれる。従って、「略等しい」等といった概念も「等しい」等に含まれる概念となる。
【０２０３】
なお、本開示中に記載された効果はあくまで例示であって限定されるものでは無く、また他の効果があってもよい。上記の複数の効果の記載は、それらの効果が必ずしも同時に発揮されるということを意味しているのではない。条件等により、少なくとも上記した効果のいずれかが得られることを意味しており、もちろん本開示中に記載されていない効果が発揮される可能性もある。
【０２０４】
以上説明した各形態の特徴部分のうち、少なくとも２つの特徴部分を組み合わせることも可能である。すなわち各実施形態で説明した種々の特徴部分は、各実施形態の区別なく、任意に組み合わされてもよい。
【０２０５】
なお、本技術は以下のような構成も採ることができる。
（１）第１の画素領域と第２の画素領域とを有し、前記第１の画素領域により生成される第１の画素光と、前記第２の画素領域により生成される第２の画素光とを含む画像光を生成する画像生成部と、
前記第１の画素光により構成される第１の部分画像の画像状態が、前記第２の画素光により構成される第２の部分画像の画像状態と異なるように、前記画像光を投射する投射光学系と
を具備する画像表示装置。
（２）（１）に記載の画像表示装置であって、
前記第１の画素領域は、前記画像生成部の中央に位置する中央領域であり、
前記第２の画素領域は、前記中央領域の周辺を囲む周辺領域である
画像表示装置。
（３）（１）又は（２）に記載の画像表示装置であって、
前記画像状態は、画像の解像度を含み、
前記投射光学系は、前記第１の部分画像の解像度が、前記第２の部分画像の解像度と異なるように、前記画像光を投射する
画像表示装置。
（４）（１）から（３）のうちいずれか１つに記載の画像表示装置であって、
前記投射光学系は、前記第２の部分画像の解像度が、前記第１の部分画像の解像度よりも低くなるように、前記画像光を投射する
画像表示装置。
（５）（１）から（４）のうちいずれか１つに記載の画像表示装置であって、
前記第１の画素領域の画素ピッチは、前記第２の画素領域の画素ピッチと異なる
画像表示装置。
（６）（１）から（５）のうちいずれか１つに記載の画像表示装置であって、
前記第２の画素領域の画素ピッチは、前記第１の画素領域の画素ピッチよりも大きい
画像表示装置。
（７）（１）から（４）のうちいずれか１つに記載の画像表示装置であって、
前記第１の画素領域の画素ピッチは、前記第２の画素領域の画素ピッチと等しい
画像表示装置。
（８）（１）から（７）のうちいずれか１つに記載の画像表示装置であって、
前記投射光学系は、前記第１の画素光を投射する第１の投射部と、前記第２の画素光を投射する第２の投射部とを有する
画像表示装置。
（９）（８）に記載の画像表示装置であって、
前記第１の投射部は、所定の拡大率で、前記第１の画素光を投射し、
前記第２の投射部は、前記第１の投射部よりも大きい拡大率で、前記第２の画素光を投射する
画像表示装置。
（１０）（８）に記載の画像表示装置であって、
前記第１の投射部は、所定の拡大率で、前記第１の画素光を投射し、
前記第２の投射部は、前記第１の投射部と等しい拡大率で、前記第２の画素光を投射する
画像表示装置。
（１１）（１）から（１０）のうちいずれか１つに記載の画像表示装置であって、
前記投射光学系は、所定の方向に沿って入射する前記画像光を、所定の光軸方向に沿って投射する投射レンズ部を有する
画像表示装置。
（１２）（１１）に記載の画像表示装置であって、
前記投射光学系は、前記第２の画素光の少なくとも一部を拡大させて前記所定の方向に沿って前記投射レンズ部に入射させる拡大レンズ部を有する
画像表示装置。
（１３）（１２）に記載の画像表示装置であって、
前記第１の画素領域は、前記画像生成部の中央に位置する中央領域であり、
前記第２の画素領域は、前記中央領域の周辺を囲む周辺領域であり、
前記拡大レンズ部は、前記第２の画素光のうち前記第２の画素領域の前記中央領域とは反対側に位置する外側領域により生成される画素光を拡大させて前記所定の方向に沿って前記投射レンズ部に入射させる
画像表示装置。
（１４）（１１）に記載の画像表示装置であって、
前記投射光学系は、前記第２の画像光の少なくとも一部を前記所定の方向に交差する方向に沿って前記投射レンズ部に入射させる拡大レンズ部を有する
画像表示装置。
（１５）（１４）に記載の画像表示装置であって、
前記第１の画素領域は、前記画像生成部の中央に位置する中央領域であり、
前記第２の画素領域は、前記中央領域の周辺を囲む周辺領域であり、
前記拡大レンズ部は、前記第２の画素光のうち前記第２の画素領域の前記中央領域とは反対側に位置する外側領域により生成される画素光を前記所定の方向に交差する方向に沿って前記投射レンズ部に入射させる
画像表示装置。
（１６）（１２）から（１５）のうちいずれか１つに記載の画像表示装置であって、
前記拡大レンズ部は、前記第２の画素領域に含まれる複数の画素の各々に配置される複数のマイクロレンズを有する
画像表示装置。
（１７）（１６）に記載の画像表示装置であって、
前記複数のマイクロレンズの各々は、配置される画素の位置に応じた曲率を有する
画像表示装置。
（１８）（１）から（１７）のうちいずれか１つに記載の画像表示装置であって、
前記画像生成部は、前記第１の画素領域と前記第２の画素領域との間に、画素光が生成されない非生成領域を有する
画像表示装置。
【符号の説明】
【０２０６】
１０…有効画像
１５…有効画素領域
２０…拡張画像
２５…拡張画素領域
３０…投射画像
５０…投射レンズ部
５１…第１のマイクロレンズ
５２…第２のマイクロレンズ
５３…第３のマイクロレンズ
５４…第４のマイクロレンズ
５５…第５のマイクロレンズ
１５０…空間
３１０…ＬＣＤ
４００…投射システム
５００…画像表示装置
【図１】
2020098273.tif 000003
【図２】
2020098273.tif 000004
【図３】
2020098273.tif 000005
【図４】
2020098273.tif 000006
【図５】
2020098273.tif 000007
【図６】
2020098273.tif 000008
【図７】
2020098273.tif 000009
【図８】
2020098273.tif 000010
【図９】
2020098273.tif 000011
【図１０】
2020098273.tif 000012
【図１１】
2020098273.tif 000013
【図１２】
2020098273.tif 000014
【図１３】
2020098273.tif 000015
【図１４】
2020098273.tif 000016
【図１５】
2020098273.tif 000017
【図１６】
2020098273.tif 000018
【図１７】
2020098273.tif 000019
【図１８】
2020098273.tif 000020
【図１９】
2020098273.tif 000021
【図２０】
2020098273.tif 000022
【図２１】
2020098273.tif 000023
【図２２】
2020098273.tif 000024